(57)【要約】【課題】光回線終端装置としてのＯＬＴと、光回線終端装置としてのＯＮＵを有する複数の光伝送装置との間の上り下りのデータ伝送を、帯域の無駄が生じないように効率良く行う。【解決手段】ＯＬＴ２１Ａは、ＴＳモードにより、上り伝送でのデータ送信の初期送信タイミング、周期及び帯域の接続設定を行う送信許可情報を、各ノード１２Ａ〜１４ＡのＯＮＵ（例えば３２Ａａ）へ例えば第１光ファイバ１６を介して送信する。この送信許可情報を受信したＯＮＵ３２Ａａが上記接続設定の完了後に送信した設定完了通知を、全ノード１２Ａ〜１４ＡのＯＮＵから受信した際に、下り伝送の送信モードのみをＴＳモードから波長モードに切り替える。ＯＮＵ３２Ａａは、受信した送信許可情報を記憶し、記憶された送信許可情報に応じて上記接続設定を行い、この設定完了後に設定完了通知をＴＳモードでＯＬＴ２１Ａへ所定周期で送信する。【選択図】図１
2018078407.tif 000002
【特許請求の範囲】
【請求項１】
外部装置との間で送受信される信号を終端し、制御主体となる光回線終端装置としてのＯＬＴ(Optical Line Terminal)と、前記制御主体に対して客体となる光回線終端装置としてのＯＮＵ(Optical Network Unit)を有する複数の光伝送装置とが、少なくとも１本の光伝送路でリング状に接続され、当該光伝送路を経由して、前記ＯＬＴから前記複数の光伝送装置へデータが下り伝送され、前記複数の光伝送装置から前記ＯＬＴへデータが上り伝送される光集線ネットワークシステムであって、
前記ＯＬＴは、
時分割多重でデータを伝送するＴＳ(time slot)モードにより、前記上り伝送でデータを送信する際の初期送信タイミング、送信周期及び送信帯域の接続設定を行う送信許可情報を、前記複数の光伝送装置の前記ＯＮＵへ送信し、この送信された送信許可情報を受信したＯＮＵが前記接続設定の完了後に送信した設定完了通知を、全ての光伝送装置から受信した際に、前記下り伝送の送信モードを前記ＴＳモードから、波長を割り当ててデータ伝送を行う波長モードに切り替える指示を行う制御情報管理部と、
前記指示に応じて、前記下り伝送の送信モードのみを前記ＴＳモードから前記波長モードに切り替える切替部と
を備え、
前記ＯＮＵは、
前記ＯＬＴから受信した前記送信許可情報を記憶する記憶部と、
前記記憶された送信許可情報に応じて前記接続設定を行い、この設定完了後に前記設定完了通知を、前記ＴＳモードで当該接続設定の内容に従って前記ＯＬＴへ所定周期で送信する送信指示情報キュー部と
を備える
ことを特徴とする光集線ネットワークシステム。
【請求項２】
前記制御情報管理部は、前記複数の光伝送装置の前記ＯＮＵの１つからでも前記設定完了通知が受信されない場合、前記下り伝送の送信モードを前記波長モードから前記ＴＳモードに切り替える指示を前記切替部に行う
ことを特徴とする請求項１に記載の光集線ネットワークシステム。
【請求項３】
前記制御情報管理部は、前記ＴＳモードへの切替指示を行う際に、前記下り伝送のデータ伝送量が予め定められた閾値以上となる帯域溢れが発生しているか否かを検出し、当該帯域溢れの発生を未検出状態であれば前記ＴＳモードへの切替指示を行い、当該帯域溢れの発生を検出状態であれば、この後、当該帯域溢れの発生を未検出状態となった際に、前記ＴＳモードへの切替指示を行う
ことを特徴とする請求項２に記載の光集線ネットワークシステム。
【請求項４】
前記制御情報管理部は、前記設定完了通知が受信できなかった前記ＯＮＵの復旧又は新規ＯＮＵへの交換の検知後に、前記送信許可情報を当該復旧又は当該交換後のＯＮＵを含む全光伝送装置のＯＮＵへ送信し、この送信後に全光伝送装置のＯＮＵから前記設定完了通知を受信した際に、前記下り伝送の送信モードのみを前記ＴＳモードから前記波長モードに切り替える指示を前記切替部に行う
ことを特徴とする請求項２又は３に記載の光集線ネットワークシステム。
【請求項５】
前記ＯＮＵの交換又は増設時に、前記下り伝送のデータ伝送量が予め定められた閾値以上となる帯域溢れが発生していない状態で、前記下り伝送の送信モードを前記波長モードから前記ＴＳモードに切り替える指示の命令と、前記交換又は増設対象のＯＮＵに前記接続設定を行うための前記送信許可情報を該当ＯＮＵへ送信する命令とが端末機にて設定されて通知された際に、当該命令を前記制御情報管理部へ出力するＤＷＢＡ機能部を備え、
前記制御情報管理部は、前記命令の実行により、前記ＴＳモードにおいて、前記送信許可情報を前記交換又は増設後のＯＮＵを含む複数の光伝送装置のＯＮＵへ送信し、この送信後に全光伝送装置のＯＮＵから前記設定完了通知を受信した際に、前記下り伝送の送信モードのみを前記ＴＳモードから前記波長モードに切り替える指示を前記切替部に行う
ことを特徴とする請求項２又は３に記載の光集線ネットワークシステム。
【請求項６】
外部装置との間で送受信される信号を終端し、制御主体となる光回線終端装置としてのＯＬＴ(Optical Line Terminal)と、前記制御主体に対して客体となる光回線終端装置としてのＯＮＵ(Optical Network Unit)を有する複数の光伝送装置とが、少なくとも１本の光伝送路でリング状に接続され、当該光伝送路を経由して、前記ＯＬＴから前記複数の光伝送装置へデータが下り伝送され、前記複数の光伝送装置から前記ＯＬＴへデータが上り伝送される光集線ネットワークシステムの信号伝送方法であって、
前記ＯＬＴは、
時分割多重でデータを伝送するＴＳ(time slot)モードにより、前記上り伝送でデータを送信する際の初期送信タイミング、送信周期及び送信帯域の接続設定を行う送信許可情報を、前記複数の光伝送装置の前記ＯＮＵへ送信するステップと、
前記送信された当該送信許可情報を受信した該当ＯＮＵが前記接続設定の完了後に送信した設定完了通知を、全ての光伝送装置から受信した際に、前記下り伝送の送信モードを前記ＴＳモードから、波長を割り当ててデータ伝送を行う波長モードに切り替える指示を行うステップと、
前記指示に応じて、前記下り伝送の送信モードのみを前記ＴＳモードから前記波長モードに切り替えるステップと
を実行し、
前記ＯＮＵは、
前記ＯＬＴから受信した前記送信許可情報を記憶するステップと、
前記記憶された送信許可情報に応じて前記接続設定を行い、この設定完了後に前記設定完了通知を、前記ＴＳモードで当該接続設定の内容に従って前記ＯＬＴへ所定周期で送信するステップと
を実行することを特徴とする信号伝送方法。
【請求項７】
前記ＯＬＴは、
前記複数の光伝送装置の前記ＯＮＵの１つからでも前記設定完了通知が受信されない場合、前記下り伝送の送信モードを前記波長モードから前記ＴＳモードに切り替える指示を行うステップ
を実行することを特徴とする請求項６に記載の信号伝送方法。
【請求項８】
前記ＯＬＴは、
前記設定完了通知が受信できなかった前記ＯＮＵの復旧又は新規ＯＮＵへの交換の検知後に、前記送信許可情報を当該復旧又は当該交換後のＯＮＵを含む全光伝送装置のＯＮＵへ送信するステップと、
前記送信後に全光伝送装置のＯＮＵから前記設定完了通知を受信した際に、前記下り伝送の送信モードのみを前記ＴＳモードから前記波長モードに切り替える指示を行うステップと
を実行することを特徴とする請求項７に記載の信号伝送方法。
【発明の詳細な説明】
【技術分野】
【０００１】
本発明は、ＰＯＮ(Passive Optical Network)に代表される、光ＴＤＭ(Time Division Multiplexing)技術を用いて、光伝送装置間の下りで大容量のデータを伝送し、上りで小容量のデータを効率良く伝送する光集線ネットワークシステム及び信号伝送方法に関する。
【背景技術】
【０００２】
従来、光ＴＤＭ技術を用いたネットワークとして、例えばＰＯＮがブロードバンドアクセス網を構成する一手段として検討又は導入されている。ＰＯＮは、光ファイバ網の途中に分岐装置（光カプラ）が挿入された、１本の光ファイバが複数の加入者で共有可能な光ネットワークである。
【０００３】
ブロードバンドアクセス網におけるＰＯＮでは、局舎に配置されるＯＬＴ(Optical Line Terminal)と、ユーザ宅に配置されるＯＮＵ(Optical Network Unit)とが光ファイバ及び光カプラを介して接続される。通常、１台のＯＬＴに対して複数台のＯＮＵが接続され、このＯＬＴ−ＯＮＵ間において、ＴＤＭ又はＴＤＭＡ(Time Division Multiple Access)を適用して光の領域でデータの多重分離を行いつつデータを伝送することにより、光ファイバ心線やＯＬＴ等のリソースが複数ユーザで共用可能となっている。なお、ＯＬＴは局舎側の光回線終端装置であり、ＯＮＵは、ユーザ宅側の光回線終端装置としての加入者装置である。
【０００４】
ここで、都市レベルのエリアを対象としたブロードバンドアクセス網としてのメトロリング網を、光ＴＤＭ技術によって効率の良いＰ２ＭＰ(Point to Multipoint)の上り下り双方のパス（以降、Ｐ２ＭＰパスともいう）で実現することが提案されている。Ｐ２ＭＰとは、１つのＯＬＴと複数のＯＮＵとで通信を行う方式である。１つのＯＬＴから送信した光によるデータを、先頭のＯＮＵに接続された光カプラで分離して当該ＯＮＵに接続されたコンピュータ等の端末機へ送信すると共に、同光カプラを通過させて隣接するＯＮＵへ送信する。この隣接ＯＮＵでも同様に光カプラでデータを分離して当該ＯＮＵ側の端末機へ送信すると共に、通過させて更に隣接ＯＮＵへ送信するといった処理を繰り返す通信方式である。
【０００５】
図６は、上述したメトロリング網に代表されるリングトポロジにＰＯＮを適用した場合の光集線ネットワークシステムの構成を示すブロック図である。
図６に示す光集線ネットワークシステム（システムともいう）１０は、代表ノードとしての光伝送装置１１と、ノードとしての複数の光伝送装置１２，１３，１４とが、物理的に独立した２本の信号伝送路としての第１光ファイバ（第１光伝送路）１６及び第２光ファイバ（第２光伝送路）１７によってリング状に接続されている。この２本のリング状の光ファイバ１６，１７の伝送路によって、何れか一方の伝送路に障害が発生して伝送不能となった場合に、他方の伝送路で伝送が可能な１＋１プロテクションの構成となっている。なお、光伝送装置１１は代表ノード１１とも称し、各光伝送装置１２，１３，１４はノード１２，１３，１４とも称す。
【０００６】
代表ノード１１は、複数のＩＯ（入出力処理）部２０ａ〜２０ｎと、ＯＬＴ２１と、光多重分離部２３ａ，２３ｂとを備えて構成されている。ＯＬＴ２１は、ＳＷ（スイッチ）部２５と、ＯＳＵ(Optical Subscriber Unit)２６ａ，２６ｂと、ＤＷＢＡ(Dynamic Wavelength and Bandwidth Assignment)機能部２７とを備えて構成されている。
【０００７】
ノード１２，１３，１４は何れも同構成であり、ノード１２に代表して示すように、光多重分離部３１ａ，３１ｂと、ＯＮＵ(Optical Network Unit)３２ａ，３２ｂと、ＳＷ部３３と、複数のＩＯ部３４ａ〜３４ｎとを備えて構成されている。
【０００８】
代表ノード１１において、複数のＩＯ部２０ａ〜２０ｎは、代表ノード１１の外部の複数のホストコンピュータ（ホストともいう）４１ａ〜４１ｎと１対１で接続され、ホスト４１ａ〜４１ｎと信号送受信を行うＳＮＩ−ＬＴ(application Server-Network Interface−Line Terminal)である。ノード１２においても、上記と同じ複数のＩＯ部３４ａ〜３４ｎに、ノード１２の外部の複数のホスト４２ａ〜４２ｎが、１対１で接続されている。他のノード１３，１４においても、同様に図示せぬＩＯ部にホスト４３ａ〜４３ｎ，４４ａ〜４４ｎ（図示は１つのみ）が１対１で接続されている。
【０００９】
代表ノード１１のＩＯ部２０ａ〜２０ｎは、ホスト４１ａ〜４１ｎから送信されて来たクライアント信号（又はクライアントデータ）を終端してＯＬＴ２１のＳＷ部２５へ送信し、また、ＳＷ部２５からの信号をクライアント信号としてホスト４１ａ〜４１ｎへ送信する。
【００１０】
ＳＷ部２５は、通常の電気パケットスイッチであり、Ｌ２−ＳＷ(レイヤ２スイッチ)と同等なスイッチである。このＳＷ部２５は、事前に設定されたＭＡＣアドレス(Media Access Control address)とポートとの対応テーブルに従い、ＭＡＣアドレスによる宛先のホスト（例えば４１ａ）へ、ＯＳＵ２６ａからのパケットデータをＳＷ部２５及びＩＯ部２０ａを介して転送する。
【００１１】
ＯＳＵ２６ａ，２６ｂは、ＰＤＳ(Passive Double Star)方式の光回線終端装置である。このＯＳＵ２６ａ，２６ｂは、ノード１２〜１４のＯＮＵ３２ａ，３２ｂからの光バーストデータを受信してＳＷ部２５へ出力し、また、ＳＷ部２５からのパケットデータを受け取り、ＯＮＵ３２ａ，３２ｂへ光データ送信する。この構成では、ＯＳＵ２６ａ，２６ｂとＯＮＵ３２ａ，３２ｂ間がＰＯＮ区間となっている。なお、光データ送信（又は伝送）を、単にデータ送信（又は伝送）ともいう。
【００１２】
ＤＷＢＡ機能部２７は、動的波長帯域割当の機能を有する。動的波長帯域割当とは、ノード１２〜１４のＯＮＵ３２ａ，３２ｂに対して複数波長を総合した総帯域を効率良く分配すべく、動的な波長切替も考慮しながらトラヒック量に応じて動的に帯域を割り当てることである。
【００１３】
光多重分離部２３ａ，２３ｂは、第１及び第２光ファイバ１６，１７を介して伝送される光信号としてのデータに対して、多重化、分離、スルー（通過）の何れかの処理を行う。例えば、光多重分離部２３ａは、ＯＳＵ２６ａからのパケットデータを多重化して第１光ファイバ１６を介してノード１２へ伝送し、また、ノード１２〜１４からの光バーストデータを分離してＯＳＵ２６ａへ出力する処理を行う。
【００１４】
ノード１２〜１４における光多重分離部３１ａ，３１ｂも、上記同様に多重化、分離、スルーの何れかの処理を行う。例えば、ノード１２の光多重分離部３１ａは、ＯＳＵ２６ａからのパケットデータを分離してＯＮＵ３２ａへ出力すると共に、同パケットデータをスルーして第１光ファイバ１６を介してノード１３へ伝送する。また、同光多重分離部３１ａは、ＯＮＵ３２ａからのパケットデータを第２光ファイバ１７を介してＯＳＵ２６ａへ伝送し、また、ノード１３，１４からの光バーストデータをスルーしてＯＳＵ２６ａへ伝送する処理を行う。
【００１５】
ＯＮＵ３２ａ，３２ｂは、ＰＯＮに係るデータの送受信を行う。このＯＮＵ３２ａ，３２ｂは、代表ノード１１のＯＳＵ２６ａ，２６ｂからの光データを受信してＳＷ部３３へ出力し、また、ＳＷ部３３からのパケットデータを受信して、ＯＳＵ２６ａ，２６ｂへ光バースト送信する。ＩＯ部３４ａ〜３４ｎは、ホスト４２ａ〜４２ｎから送信されて来たクライアント信号を終端してＳＷ部３３へ送信し、また、ＳＷ部３３からの信号をクライアント信号としてホスト４２ａ〜４２ｎへ送信する。
【００１６】
このような構成のシステム１０によるメトロリング網においてＰ２ＭＰを実現する場合、ＯＬＴ２１からＯＮＵ３２ａ又は３２ｂへ向かう上りパスと、この逆の下りパスとは、波長モード又はＴＳ(time slot)モードでデータ伝送を行うようになっている。波長モードは、ノード１２〜１４毎に異なる固有の波長を割り当てて、ＯＬＴ２１との間でデータ伝送を行うモードである。ＴＳモードは、ノード１２〜１４毎に異なるタイムスロットのフレーム信号（ＰＯＮフレーム＃１〜＃３）を割り当て、ＯＬＴ２１との間でフレーム信号を時分割多重により伝送するモードである。波長モードとＴＳモードで物理のトラヒック容量が同一である場合、オーバヘッドが不要となるため、波長モードの方がＴＳモードよりも外部から入力されるデータを伝送する容量は大きくなる。
【００１７】
また、メトロリング網において、下り伝送では、ＯＬＴ２１からユーザ側のＯＮＵ３２ａ又は３２ｂに対して、例えば波長モードで映像データ等の大容量のデータを送信する。上り送信では、ユーザ側のＯＮＵ３２ａ，３２ｂからＯＬＴ２１に対して、例えば所望チャンネルの映像が見たい等の要求を行う制御信号を送信するので、トラフィックが小容量で済むため、ＴＳモードで行うことができる。
【００１８】
システム１０における上記のような上り下り伝送について、図７及び図８を参照して説明する。
図７は、ＯＬＴ２１と各ノード１２〜１４のＯＮＵ３２ａ間の上りパス及び下りパスで伝送される信号が割り付けられるＰＯＮフレームの構成図である。図８は、ＯＬＴ２１と各ノード１２〜１４のＯＮＵ（例えばＯＮＵ３２ａ）間の上りパス及び下りパスの信号伝送のシーケンス図である。
【００１９】
ＯＬＴ２１と各ノード１２〜１４のＯＮＵ３２ａ（各ＯＮＵ３２ａともいう）との通信においては、後述する各ＯＮＵ３２ａへの入出力タイミング及び伝送帯域を定めるための接続設定の制御処理を行う。このため、ＯＬＴ２１と各ＯＮＵ３２ａ間では、各ＯＮＵ３２ａに係る各制御信号を常時送受信しなければならないので、各々が異なるタイムスロットに配置される各ＰＯＮフレームに、各制御信号を多重化して送受信する必要がある。
【００２０】
上り信号のＰＯＮフレームを図７（ａ）に符号＃１，＃２，＃３で示す。ＰＯＮフレーム＃１はノード１２に割り当てられ、ＰＯＮフレーム＃２はノード１３に、ＰＯＮフレーム＃３はノード１４に割り当てられる。各ＰＯＮフレーム＃１〜＃３のフレーム構成は同じであり、例えば、時刻ｔ１−ｔ１ｄ間に割り当てられるＰＯＮフレーム＃１は、図７（ｂ）に示す時刻ｔ１−ｔ１ａ間に、データ送信の先頭を知らせる光プリアンブルが配置され、時刻ｔ１ａ−ｔ１ｂ間にデータ本体が格納されるＰＯＮペイロードが、時刻ｔ１ｂ−ｔ１ｃ間にＥＯＢ(End of Block)デリミタが配置されて構成されている。ＥＯＢデリミタは、バースト的に伝送されるＰＯＮフレームの最後尾を示す。なお、前後のＰＯＮフレーム（例えば＃１と＃２）間には、前後のフレームデータの干渉を防止するガードタイムが介挿される。一方、下り信号のフレーム構成は、図７（ｂ）のＥＯＢデリミタとガードタイムが無く、図７（ｃ）に示すように、光プリアンブルとＰＯＮペーロードの繰り返しとなる。
【００２１】
各ＰＯＮフレーム＃１〜＃３は、ＯＬＴ２１と各ノード１２〜１４間でＴＳモードで送受信される。ＴＳモードの下り伝送では、図６に矢印Ｙ１で示すように、ＯＬＴ２１から送信された各ＰＯＮフレーム＃１〜＃３が、先頭のノード１２の光多重分離部３１ａで矢印Ｙ１ａで示すように分離されてＯＮＵ３２ａ側へ送信されると共に、同光多重分離部３１ａを通過した矢印Ｙ１で示す各ＰＯＮフレーム＃１〜＃３が第１光ファイバ１６を介してノード１３へ伝送される。以降同様に、伝送された各ＰＯＮフレーム＃１〜＃３がノード１３の光多重分離部３１ａ（図示せず）で矢印Ｙ１ｂで示すように分離されると共に、同光多重分離部３１ａを通過した矢印Ｙ１で示す各ＰＯＮフレーム＃１〜＃３がノード１４へ送信されて矢印Ｙ１ｃで示すように分離される。各ノード１２〜１４で分離された各ＰＯＮフレーム＃１〜＃３は、ノード１２〜１４毎にＯＮＵ３２ａで自ノード宛てのＰＯＮフレーム＃１〜＃３が取得される。
【００２２】
ＴＳモードの上り伝送では、上記下り伝送とは異なる波長で、各ノード１２〜１４からの破線矢印Ｙ２ａ，Ｙ２ｂ，Ｙ２ｃで示すＰＯＮフレーム＃１〜＃３が、破線矢印Ｙ２で表すように時分割多重されて、第１光ファイバ１６を介してＯＬＴ２１へ伝送される。
【００２３】
次に、ＯＬＴ２１と各ＯＮＵ３２ａ間で制御信号をＰＯＮフレームに多重化して常時送受信する際の動作を図８を参照して説明する。
図８において、ＯＬＴ２１では、各ノード１２〜１４のＯＮＵ３２ａ（各ＯＮＵ３２ａ）への入出力タイミングを定める制御信号としての各ゲート信号Ｇ１，Ｇ２，Ｇ３が、各ＰＯＮフレーム＃１〜＃３に割り当てられる。ここでは、ゲート信号Ｇ１がＰＯＮフレーム＃１に割り当てられ、ゲート信号Ｇ２がＰＯＮフレーム＃２に、ゲート信号Ｇ３がＰＯＮフレーム＃３に割り当てられる。この割り当てられた各ＰＯＮフレーム＃１〜＃３は、例えば時刻ｔａにおいて、前述したＰ２ＭＰ方式で各ＯＮＵ３２ａへＴＳモードにて送信される。
【００２４】
この送信された各ＰＯＮフレーム＃１〜＃３は、ノード１２〜１４毎の光多重分離部３１ａで分離されてＯＮＵ３２ａで受信される。各ＯＮＵ３２ａは、自ノード宛てのＰＯＮフレーム＃１〜＃３のゲート信号Ｇ１〜Ｇ３から入出力タイミングを検知すると共に、ＰＯＮフレーム＃１〜＃３の信号からトラフィック量を検出する。例えば、ノード１２のＯＮＵ３２ａは、自ノード宛てのＰＯＮフレーム＃１のゲート信号Ｇ１から入出力タイミングを検知すると共に、ＰＯＮフレーム＃１の信号からトラフィック量を検出する。次に、ＯＮＵ３２ａは、その検出されたトラフィック量に応じて何ｂｐｓ(ビット)分のデータ送信が可能であるかを要求する制御信号としてのレポート信号Ｒ１，Ｒ２，Ｒ３を送信する。この上り送信は、下り送信と異なる波長でＴＳモードで行われ、例えば各ノード１２〜１４のＯＮＵ３２ａから時刻ｔｂ，ｔｃ，ｔｄで行われる。この際、各レポート信号Ｒ１〜Ｒ３は、異なるＰＯＮフレーム＃１〜＃３に割り当てられる。
【００２５】
各レポート信号Ｒ１〜Ｒ３を受信したＯＬＴ２１は、各レポート信号Ｒ１〜Ｒ３で要求される帯域（１Ｇｂｐｓ）のデータを、該当ＯＮＵ３２ａに対してどのタイミングで送信するかを許可（送信許可）する情報を含むゲート信号Ｇ１１〜Ｇ１３を、時刻ｔｆにて送信する。ゲート信号Ｇ１１〜Ｇ１３は、詳細には、送信の周期、帯域、初期位置（初期送信タイミング）を含み、例えば、１Ｇｂｐｓの帯域のデータを、所定時刻の初期位置から１ｍｓの周期で送信可能であるといった送信許可を、各ＯＮＵ３２ａへ通知するための制御信号である。各ＯＮＵ３２ａは、そのゲート信号Ｇ１１〜Ｇ１３による送信許可に応じた帯域のデータを所定周期で送信する。
【００２６】
このように制御信号としてのゲート信号Ｇ１〜Ｇ３、Ｇ１１〜Ｇ１３及びレポート信号Ｒ１〜Ｒ３の送受信によりノード１２〜１４毎に入出力タイミング及び伝送帯域が決定される。この決定に応じて、各ＯＮＵ３２ａからＯＬＴ２１への上り方向にクライアントデータＤ１が送信され、下り方向にクライアントデータＤ２が送信される。この種の通信を行う従来技術として、特許文献１及び非特許文献１〜４に記載の技術がある。
【先行技術文献】
【特許文献】
【００２７】
【特許文献１】特開２０１５−１５６６１号公報
【非特許文献】
【００２８】
【非特許文献１】40-Gigabit-capable passive optical networks(NG-PON2): General requirements，G.989.1，03.2013
【非特許文献２】40-Gigabit-capable passive optical networks 2 (NG-PON2) : Physical media dependent (PMD) layer specification，G.989.2，12.2014
【非特許文献３】40-Gigabit-capable passive optical networks (NG-PON2) : Transmission convergence layer specification，G.989.3，10.2015
【非特許文献４】40-Gigabit-capable passive optical networks (NG-PON2) : Definitions, abbreviations and acronyms，G.989，10.2015
【発明の概要】
【発明が解決しようとする課題】
【００２９】
ところで、上述したように、上り下りのデータ伝送をＴＳモードで行う場合、上り伝送では、ノード１２〜１４毎のＰＯＮフレーム＃１〜＃３を多重化して効率良く通信を行うことができる。しかし、下り伝送では、ＰＯＮの処理負荷であるオーバーヘッドにより帯域が制限されてしまうので、大容量のデータ伝送を行うことができなくなる。
【００３０】
そこで、上述した波長モードで上り下り双方のデータ伝送を行えば、下り伝送で大容量のデータを伝送することが可能となる。波長モードでの大容量のデータの下り伝送は、図６に矢印Ｙ１で示したＴＳモードでの伝送経路と同様に行われるが、１種類のデータなのでＴＳモードでの分離及び通過のみが行われる。このように、波長モードの場合、ＯＬＴ２１から各ＯＮＵ３２ａへ向かう下り伝送では、１波長によるデータ伝送で済む。しかし、その逆方向の上り伝送では、ノード１２〜１４毎のデータをＴＳで多重化することができないので、ノード１２〜１４毎に異なる固有の波長（本例の場合、３つの波長）が必要となる。この場合、小容量で済む上り伝送の帯域が必要以上に大きくなるので無駄が生じることになる。
【００３１】
そこで、下り伝送を波長モード、上り伝送をＴＳモードで行うようにすればよいが、現状のＰＯＮシステムでは、上り下り共にＴＳモードとするか、或いは波長モードとするかのデータ伝送しか行えない。このため、ＰＯＮシステムにおいて、ＯＬＴを有する光伝送装置１１とＯＮＵを有する複数の光伝送装置１２〜１４間の上り下りのデータ伝送（又は信号伝送）を、帯域の無駄が生じないように効率良く伝送することができないという問題がある。
【００３２】
本発明は、このような事情に鑑みてなされたものであり、光回線終端装置としてのＯＬＴと、光回線終端装置としてのＯＮＵを有する複数の光伝送装置との間の上り下りのデータ伝送を、帯域の無駄が生じないように効率良く行うことができる光集線ネットワークシステム及び信号伝送方法を提供することを課題とする。
【課題を解決するための手段】
【００３３】
上記課題を解決するための手段として、請求項１に係る発明は、外部装置との間で送受信される信号を終端し、制御主体となる光回線終端装置としてのＯＬＴ(Optical Line Terminal)と、前記制御主体に対して客体となる光回線終端装置としてのＯＮＵ(Optical Network Unit)を有する複数の光伝送装置とが、少なくとも１本の光伝送路でリング状に接続され、当該光伝送路を経由して、前記ＯＬＴから前記複数の光伝送装置へデータが下り伝送され、前記複数の光伝送装置から前記ＯＬＴへデータが上り伝送される光集線ネットワークシステムであって、前記ＯＬＴは、時分割多重でデータを伝送するＴＳ(time slot)モードにより、前記上り伝送でデータを送信する際の初期送信タイミング、送信周期及び送信帯域の接続設定を行う送信許可情報を、前記複数の光伝送装置の前記ＯＮＵへ送信し、この送信された送信許可情報を受信したＯＮＵが前記接続設定の完了後に送信した設定完了通知を、全ての光伝送装置から受信した際に、前記下り伝送の送信モードを前記ＴＳモードから、波長を割り当ててデータ伝送を行う波長モードに切り替える指示を行う制御情報管理部と、前記指示に応じて、前記下り伝送の送信モードのみを前記ＴＳモードから前記波長モードに切り替える切替部とを備え、前記ＯＮＵは、前記ＯＬＴから受信した前記送信許可情報を記憶する記憶部と、前記記憶された送信許可情報に応じて前記接続設定を行い、この設定完了後に前記設定完了通知を、前記ＴＳモードで当該接続設定の内容に従って前記ＯＬＴへ所定周期で送信する送信指示情報キュー部とを備えることを特徴とする光集線ネットワークシステムである。
【００３４】
請求項６に係る発明は、外部装置との間で送受信される信号を終端し、制御主体となる光回線終端装置としてのＯＬＴ(Optical Line Terminal)と、前記制御主体に対して客体となる光回線終端装置としてのＯＮＵ(Optical Network Unit)を有する複数の光伝送装置とが、少なくとも１本の光伝送路でリング状に接続され、当該光伝送路を経由して、前記ＯＬＴから前記複数の光伝送装置へデータが下り伝送され、前記複数の光伝送装置から前記ＯＬＴへデータが上り伝送される光集線ネットワークシステムの信号伝送方法であって、前記ＯＬＴは、時分割多重でデータを伝送するＴＳ(time slot)モードにより、前記上り伝送でデータを送信する際の初期送信タイミング、送信周期及び送信帯域の接続設定を行う送信許可情報を、前記複数の光伝送装置の前記ＯＮＵへ送信するステップと、前記送信された当該送信許可情報を受信した該当ＯＮＵが前記接続設定の完了後に送信した設定完了通知を、全ての光伝送装置から受信した際に、前記下り伝送の送信モードを前記ＴＳモードから、波長を割り当ててデータ伝送を行う波長モードに切り替える指示を行うステップと、前記指示に応じて、前記下り伝送の送信モードのみを前記ＴＳモードから前記波長モードに切り替えるステップとを実行し、前記ＯＮＵは、前記ＯＬＴから受信した前記送信許可情報を記憶するステップと、前記記憶された送信許可情報に応じて前記接続設定を行い、この設定完了後に前記設定完了通知を、前記ＴＳモードで当該接続設定の内容に従って前記ＯＬＴへ所定周期で送信するステップとを実行することを特徴とする信号伝送方法である。
【００３５】
上記請求項１，６の構成によれば、各光伝送装置のＯＮＵは、記憶した送信許可情報に基づき、所定帯域のデータを、所定時刻の初期送信タイミングから所定周期で上り送信可能であるため、下り伝送が波長モードになっても、ＴＳモードで上り伝送を行うことができる。このため、ＯＬＴで下り伝送のみを波長モードとすることができる。この処理により、Ｐ２ＭＰ方式の光集線ネットワークシステムにおいて、上り下りのパスの接続設定の制御を行うための小容量のデータ伝送がＴＳモードで帯域の無駄が生じないように効率良く行われる。また、下りパスの映像配信等の大容量のデータ伝送が、ＴＳモードよりも大容量伝送が可能な波長モードで効率良く行われるようになる。
【００３６】
請求項２に係る発明は、前記制御情報管理部は、前記複数の光伝送装置の前記ＯＮＵの１つからでも前記設定完了通知が受信されない場合、前記下り伝送の送信モードを前記波長モードから前記ＴＳモードに切り替える指示を前記切替部に行うことを特徴とする請求項１に記載の光集線ネットワークシステムである。
【００３７】
請求項７に係る発明は、前記ＯＬＴは、前記複数の光伝送装置の前記ＯＮＵの１つからでも前記設定完了通知が受信されない場合、前記下り伝送の送信モードを前記波長モードから前記ＴＳモードに切り替える指示を行うステップを実行することを特徴とする請求項６に記載の信号伝送方法である。
【００３８】
上記請求項２，７の構成によれば、ＯＬＴは、ＯＮＵから設定完了通知が送信されて来ない場合、当該ＯＮＵの故障を検知できる。この際に、下り伝送の送信モードが波長モードに切り替えられるので、その故障が復旧後に、上り下りのＴＳモードにより、送信許可情報を各光伝送装置のＯＮＵへ送信して接続設定を行うことができる。
【００３９】
請求項３に係る発明は、前記制御情報管理部は、前記ＴＳモードへの切替指示を行う際に、前記下り伝送のデータ伝送量が予め定められた閾値以上となる帯域溢れが発生しているか否かを検出し、当該帯域溢れの発生を未検出状態であれば前記ＴＳモードへの切替指示を行い、当該帯域溢れの発生を検出状態であれば、この後、当該帯域溢れの発生を未検出状態となった際に、前記ＴＳモードへの切替指示を行うことを特徴とする請求項２に記載の光集線ネットワークシステムである。
【００４０】
この構成によれば、ＴＳモードへの切替指示を行う際に、ＯＬＴから各光伝送装置のＯＮＵへの下り伝送において、データ伝送量が帯域溢れを起こしていれば、大容量のデータ伝送中なので、波長モードよりも伝送容量が小さいＴＳモードに切り替えると伝送障害等が生じる。そこで、データ伝送量が帯域溢れを起こさなくなるまで待ってＴＳモードに切り替えれば、伝送障害等が生じることがなく、適正にＴＳモードに切り替えることができる。
【００４１】
請求項４に係る発明は、前記制御情報管理部は、前記設定完了通知が受信できなかった前記ＯＮＵの復旧又は新規ＯＮＵへの交換の検知後に、前記送信許可情報を当該復旧又は当該交換後のＯＮＵを含む全光伝送装置のＯＮＵへ送信し、この送信後に全光伝送装置のＯＮＵから前記設定完了通知を受信した際に、前記下り伝送の送信モードのみを前記ＴＳモードから前記波長モードに切り替える指示を前記切替部に行うことを特徴とする請求項２又は３に記載の光集線ネットワークシステムである。
【００４２】
請求項８に係る発明は、前記ＯＬＴは、前記設定完了通知が受信できなかった前記ＯＮＵの復旧又は新規ＯＮＵへの交換の検知後に、前記送信許可情報を当該復旧又は当該交換後のＯＮＵを含む全光伝送装置のＯＮＵへ送信するステップと、前記送信後に全光伝送装置のＯＮＵから前記設定完了通知を受信した際に、前記下り伝送の送信モードのみを前記ＴＳモードから前記波長モードに切り替える指示を行うステップとを実行することを特徴とする請求項７に記載の信号伝送方法である。
【００４３】
上記請求項４，８の構成によれば、復旧又は交換後のＯＮＵに対して適正に接続設定を行った後に、その復旧又は交換後のＯＮＵを含む全光伝送装置のＯＮＵに、下り伝送の送信モードのみを波長モードに切り替えることができる。
【００４４】
請求項５に係る発明は、前記ＯＮＵの交換又は増設時に、前記下り伝送のデータ伝送量が予め定められた閾値以上となる帯域溢れが発生していない状態で、前記下り伝送の送信モードを前記波長モードから前記ＴＳモードに切り替える指示の命令と、前記交換又は増設対象のＯＮＵに前記接続設定を行うための前記送信許可情報を該当ＯＮＵへ送信する命令とが端末機にて設定されて通知された際に、当該命令を前記制御情報管理部へ出力するＤＷＢＡ機能部を備え、前記制御情報管理部は、前記命令の実行により、前記ＴＳモードにおいて、前記送信許可情報を前記交換又は増設後のＯＮＵを含む複数の光伝送装置のＯＮＵへ送信し、この送信後に全光伝送装置のＯＮＵから前記設定完了通知を受信した際に、前記下り伝送の送信モードのみを前記ＴＳモードから前記波長モードに切り替える指示を前記切替部に行うことを特徴とする請求項２又は３に記載の光集線ネットワークシステムである。
【００４５】
この構成によれば、ＯＮＵの交換又は増設時に、端末機が、交換又は増設されたＯＮＵに対して適正に接続設定を実行する命令を行うと、この命令がＤＷＢＡ機能部で認識されて制御情報管理部へ出力されるので、交換又は増設ＯＮＵを含む全ＯＮＵへの下り伝送の送信モードのみを波長モードに切り替えることができる。
【発明の効果】
【００４６】
本発明によれば、光回線終端装置としてのＯＬＴと、光回線終端装置としてのＯＮＵを有する複数の光伝送装置との間の上り下りのデータ伝送を、帯域の無駄が生じないように効率良く行う光集線ネットワークシステム及び信号伝送方法を提供することができる。
【図面の簡単な説明】
【００４７】
【図１】本発明の実施形態に係る光集線ネットワークシステムの構成を示すブロック図である。
【図２】実施形態のＯＬＴの構成を示すブロック図である。
【図３】実施形態の各ノードのＯＮＵの構成を示すブロック図である。
【図４】実施形態の光集線ネットワークシステムにおけるＯＬＴと各ノードのＯＮＵ間の上り下りの信号伝送の流れを示すシーケンス図である。
【図５】実施形態の光集線ネットワークシステムにおけるＯＬＴと各ノードのＯＮＵ間の上り下りの信号伝送において上り伝送の設定完了通知がＯＬＴで受信されない場合の様子を示すシーケンス図である。
【図６】従来の光集線ネットワークシステムの構成を示すブロック図である。
【図７】（ａ）ＯＬＴと各ノードのＯＮＵ間の上り信号伝送において、データが多重化されるＰＯＮフレームの配置構成を示す図、（ｂ）上り信号のＰＯＮフレームのフレーム構成を示す図、（ｃ）下り信号のＰＯＮフレームのフレーム構成を示す図である。
【図８】従来の光集線ネットワークシステムにおけるＯＬＴと各ノードのＯＮＵ間の上り下りの信号伝送の流れを示すシーケンス図である。
【発明を実施するための形態】
【００４８】
以下、本発明の実施形態を、図面を参照して説明する。
＜実施形態の構成＞
図１は、本発明の実施形態に係る光集線ネットワークシステムの構成を示すブロック図である。但し、図１に示す光集線ネットワークシステム（システム）１０Ａにおいて、図６に示した従来のシステム１０に対応する部分には同一符号を付し、その説明を省略する。
【００４９】
図１に示す本実施形態のシステム１０Ａにおいて、従来のシステム１０と異なる要素は、ＯＬＴ２１ＡのＯＳＵ２６Ａａ，２６Ａｂと、外部の制御端末機（端末機）２８が接続されたＤＷＢＡ機能部２７Ａと、各ノード１２Ａ〜１４ＡのＯＮＵ３２Ａａ，３２Ａｂとである。
【００５０】
また、システム１０Ａは、従来のシステム１０と同様に、代表ノード１１Ａ及び複数のノード１２Ａ，１３Ａ，１４Ａが、物理的に独立した２本の信号伝送路としての第１光ファイバ１６及び第２光ファイバ１７によってリング状に接続されている。このリング状の各光ファイバ１６，１７によって、互いに異なる方向又は同一方向にデータを伝送可能となっており、前述した１＋１プロテクションの構成となっている。但し、システム１０において、ＯＬＴ２１Ａから各ノード１２Ａ〜１４Ａへ伝送されるデータの伝送方向を下り方向、この逆に、各ノード１２Ａ〜１４ＡからＯＬＴ２１Ａへ伝送されるデータの伝送方向を上り方向と定める。また、下り方向のパスを下りパス、上り方向のパスを上りパスという。なお、ＯＬＴ２１Ａは制御主体であり、ＯＮＵ３２Ａａ，Ａｂは制御主体に対する客体である。
【００５１】
本実施形態の特徴を説明する。システム１０Ａによるメトロリング網においては、前述したＰ２ＭＰ方式によるＯＬＴ２１Ａと、複数ノード１２Ａ〜１４ＡのＯＮＵ３２Ａａ，３２Ａｂとで、上り下りのデータ伝送を行うようになっている。ＯＬＴ２１Ａは、複数ノード１２Ａ〜１４ＡのＯＮＵ３２Ａａ，３２Ａｂへ、上りのデータ送信を許可（送信許可）するための接続設定（前述の周期・帯域・初期位置の設定）をＴＳモードで行う。この接続設定は、ＯＬＴ２１Ａから接続設定を行うための送信許可情報を含むゲート信号を各ノード１２Ａ〜１４ＡのＯＮＵ３２Ａａ，３２Ａｂへ送信する。次に、各ＯＮＵ３２Ａａ，３２Ａｂが送信許可情報を保持し、この保持した送信許可情報に基づき行われる接続設定が完了すると、設定完了通知をＯＬＴ２１Ａへ送信する。
【００５２】
ＯＬＴ２１Ａは、全てのノード１２Ａ〜１４ＡのＯＮＵ３２Ａａから設定完了通知を受信した際に、下りパスのデータ伝送（下り伝送）のみをＴＳモードから波長モードに切り替える処理を行う。ここで、各々のノード１２Ａ〜１４ＡのＯＮＵ３２Ａａ，３２Ａｂは、保持した送信許可情報に基づき、所定帯域のデータを、所定時刻の初期位置から所定周期で送信可能であるため、下り伝送が波長モードになっても、ＴＳモードで上り伝送を行うことが可能となっている。このため、下り伝送のみを波長モードとすることが可能となる。この処理により、Ｐ２ＭＰ方式のシステム１０Ａにおいて、上り下りのパスの接続設定の制御を行うための小容量のデータ伝送がＴＳモードで帯域の無駄が生じないように効率良く行われ、また、下りパスの映像配信等の大容量のデータ伝送が、ＴＳモードよりも大容量伝送が可能な波長モードで効率良く行われるようにした。
【００５３】
図１に示すＯＬＴ２１ＡのＯＳＵ２６Ａａ，２６Ａｂは、各ノード１２Ａ〜１４ＡのＯＮＵ３２Ａａ，Ａｂからの光バーストデータを受信してＳＷ部２５へ出力し、また、ＳＷ部２５からのパケットデータを受け取り、各ＯＮＵ３２Ａａ，Ａｂへ光データ送信する。この構成では、ＯＬＴ２１ＡのＯＳＵ２６Ａａ，２６Ａｂと各ＯＮＵ３２Ａａ，Ａｂ間がＰＯＮ区間となっている。
【００５４】
ＯＳＵ２６Ａａ，２６Ａｂは、図２に示すように同構成である。このため、基本的には一方のＯＳＵ２６Ａａを代表して説明を行う。ＯＳＵ２６Ａａは、ポート１ａ，１ｂを介してＳＷ部２５に接続されたクライアントＰＨＹ部（符号化／復号化、等を行うレイヤ１の処理機能部）５１と、クラシファイア部５２と、バッファ部としてのキュー部５２ａ，５２ｂと、キュー読出部５３，５４と、キューモニタ部５５と、パケットモニタ部５６と、通知信号作成部５７ａ，５７ｂと、モニタ信号作成指示設定部５８と、データＭＵＸ（マルチプレクサ）部５９と、ＰＯＮＰＨＹ・λＰＨＹ切替部６０と、ＯＡＭ(Operations, Administration, Maintenance)機能部６０ａと、制御情報管理部６１と、送信部６２と、受信部６３とを備えて構成されている。データＭＵＸ部は、単にＭＵＸ部とも称し、ＰＯＮＰＨＹ・λＰＨＹ切替部は、単に切替部とも称す。
【００５５】
図２には、ＯＬＴ２１Ａ内のＤＷＢＡ機能部２７Ａの構成も示す。ＤＷＢＡ機能部２７Ａは、制御端末機２８が接続される制御ＩＦ(インタフェース)部６４と、演算結果通知部６５と、ＯＮＵ設定完了通知管理部６６と、ＤＢＡ(dynamic bandwidth allocation：動的帯域割当)演算部６７と、ＤＷＡ(Dynamic Wavelength Allocation：動的波長割当)演算部６８と、トラフィック情報保持部６９とを備えて構成されている。
【００５６】
図１に示すＯＮＵ３２Ａａ，３２Ａｂは、図３に示すように同構成である。このため、基本的には一方のＯＮＵ３２Ａａを代表して説明を行う。ＯＮＵ３２Ａａは、ポート２ａ，２ｂを介してＳＷ部３３に接続されたクライアントＰＨＹ部（符号化／復号化、等を行うレイヤ１の処理機能部）７１と、クラシファイア部７２と、バッファ部としてのキュー部７２ａ，７２ｂと、キュー読出部７３，７４と、キューモニタ部７５と、パケットモニタ部７６と、通知信号作成部７７ａ，７７ｂと、モニタ信号作成指示設定部７８と、データＭＵＸ部７９と、ＰＯＮＰＨＹ・λＰＨＹ切替部８０と、ＯＡＭ機能部８０ａと、送信許可記憶部（記憶部ともいう）８０ｂと、送信指示情報キュー部８１と、送信部８２と、受信部８３とを備えて構成されている。
【００５７】
図２において、ＯＡＭ機能部６０ａは、ネットワークの運用・管理・保守を行うための機能であり、イーサネット（登録商標）の場合は、Ｅｔｈｅｒｎｅｔ ＯＡＭ情報（ＯＡＭフレーム）を経路に流すことにより取得したネットワークの性能情報から遅延を検出し、この検出された遅延をＤＷＢＡ機能部２７Ａへ伝える。但し、その性能情報は、ＩＴＵ−Ｔ（国際電気通信連合電気通信標準化部門）により国際勧告「Ｙ．１７３１」として標準化されている。ＯＡＭ機能部６０ａは、その標準化された中のパフォーマンスメジャメント等の性能情報をそのまま用いて、各経路の遅延時間を定期的に測定している。この遅延時間は、例えば１秒、２秒、３秒のように実測でき、ＤＷＢＡ機能部２７Ａが、その実測値の中で遅延時間が少ない順番に経路を選択する。
【００５８】
又は、ＤＷＢＡ機能部２７Ａは、システム１０におけるネットワーク内のＯＬＴ２１Ａ及び各ＯＮＵ３２Ａａ，３２Ａｂに配備されたバッファ部｛キュー部５２ａ，５２ｂ（図２）及びキュー部７２ａ，７２ｂ（図３）｝のバッファ情報（キュー情報）を把握し、バッファ長（キュー長）が短い経路を検知する。言い換えればバッファ量が少なく、低負荷な経路を検知する。
【００５９】
ＰＯＮにおいては、ＯＳＵ２６Ａａのバッファ部としてのキュー部５２ａ，５２ｂは、下り方向のデータをバッファリングする。また、ＯＳＵ２６Ａａは、キュー部５２ａ，５２ｂに溜まった情報量（データ量）をＯＮＵ３２Ａａ（図１）へ送信可能となっている。なお、バッファ部がバッファ量をＤＷＢＡ機能部２７Ａへ送信する。
【００６０】
このため、ＤＷＢＡ機能部２７Ａは、経路毎の各バッファ部にどれ位の情報量が溜まっているかを検出し、言い換えれば、経路毎のバッファ量に応じた遅延量を検出して、低負荷な経路を検知できる。
【００６１】
クライアントＰＨＹ部５１は、ポート１ａ，１ｂを介してホスト４１ａ（図１）との間で送受信されるデータの符号化及び復号化等を行うレイヤ１の処理機能部である。
クラシファイア部５２は、ホスト４１ａから受信した下りのデータをキュー部５２ａに格納する。この格納されるデータは、キューモニタ部５５でその格納量（又は残キュー量）等が監視されると共に、キュー読出部５３で読み出され、ＭＵＸ部５９へ入力される。
【００６２】
ＭＵＸ部５９は、その入力される通常のデータと、後述の通知信号作成部５７ａ，５７ｂで作成された通知信号である上りキュー情報、下りキュー情報、遅延情報、並びに、ＯＡＭ機能部６０ａからのＯＡＭ関連情報を多重化する。この多重化されたデータ信号は、切替部６０を介して送信部６２から光多重分離部２３ａ，２３ｂを介して各ノード１２Ａ〜１４ＡのＯＮＵ３２Ａａ，３２Ａｂ（図１）へ送信される下りデータとなる。
【００６３】
この下りデータとしては、制御情報管理部６１の制御によって下り送信されるゲート信号も含まれる。ゲート信号は、各ノード１２Ａ〜１４ＡのＯＮＵ３２Ａａ，３２Ａｂに対してどのタイミングで送信するかを許可する送信許可情報を含む。この送信許可情報は、ＴＳモードで送信され、各ＯＮＵ３２Ａａ，３２Ａｂに対する送信信号の周期、帯域、初期位置を表す。送信許可情報は、例えば、１Ｇｂｐｓの帯域のデータを、所定時刻の初期位置から１ｍｓの周期で送信可能であるといった送信許可を、各ＯＮＵ３２Ａａ，３２Ａｂへ通知するための制御信号である。
【００６４】
ここで、各ＯＮＵ３２Ａａ，３２Ａｂは、そのゲート信号の送信許可に応じて送信信号の周期、帯域、初期位置を自ＯＮＵ３２Ａａ，３２Ａｂに設定し、これを設定完了通知情報として送信許可記憶部８０ｂ（図３）に保持する。更にその保持した設定完了通知情報を前述したＰＯＮフレームに格納し、所定周期でＯＬＴ２１ＡのＯＳＵ２６Ａａ，２６Ａｂへ送信するようになっている。
【００６５】
一方、ＯＳＵ２６Ａａ，２６Ａｂにおいて、ＯＮＵ３２Ａａ，３２Ａｂからの設定完了通知情報を含むＰＯＮフレームデータは、光多重分離部２３ａ，２３ｂを介して受信部６３で受信され、切替部６０へ入力される。
【００６６】
切替部６０は、入力された設定完了通知情報を制御情報管理部６１へ出力し、制御情報管理部６１は、設定完了通知情報をＤＷＢＡ機能部２７ＡのＯＮＵ設定完了通知管理部（通知管理部ともいう）６６へ通知する。通知管理部６６は、設定完了通知情報を保持する。また、通知管理部６６は、全てのノード１２Ａ〜１４ＡのＯＮＵ３２Ａａ，３２Ａｂから設定完了通知情報の通知を受けると、この全通知を受けたことを制御情報管理部６１へ通知する。全通知を受けた制御情報管理部６１は、切替部６０に上り下り伝送をＴＳモードから波長モードに切り替える切替指示を行う。切替部６０は、その切替指示に応じて、上り下り伝送をＴＳモードから波長モードに切り替える。
【００６７】
また、切替部６０は、入力データからＯＡＭフレームを分離してＯＡＭ機能部６０ａへ出力する。ＯＡＭ機能部６０ａは、そのＯＡＭフレームからＯＬＴ２１Ａとの間の伝送路の遅延を検出し、この検出された遅延情報をＭＵＸ部５９へ出力して、最終的にＤＷＢＡ機能部２７Ａ（図１）へ伝える。
【００６８】
更に、切替部６０で分離された上りデータは、キュー部５２ｂに格納された後、キュー読出部５４で読み出されてクライアントＰＨＹ部５１からＳＷ部３３を介して、最終的にホスト（例えば図１の４２ａ）へ出力される。この際、キュー部５２ｂに格納された上りデータは、パケットモニタ部５６で監視される。そのモニタ部５６は、キュー部５２ｂに格納された上りデータのキュー状態を監視し、下りの平均キュー長（バッファ長）、最大キュー長（最大バッファ長）、パケット処理遅延情報、キュー溢れ量等を、モニタ信号作成指示設定部５８の指示に応じて取得し、これを通知信号作成部５７ｂへ入力する。
【００６９】
通知信号作成部５７ｂは、そのパケットモニタ部５６からの入力情報を制御情報管理部６１へ入力する。また、通知信号作成部５７ａは、前述したキューモニタ部５５からの残キュー量等の入力情報を制御情報管理部６１へ入力する。
【００７０】
制御情報管理部６１は、キューモニタ部５５でモニタされたキュー部５２ａの残キュー量から空帯域量を算出し、この算出された空帯域量が予め定められた閾値未満となった場合に、下りパスにおいて帯域溢れが発生していると判定し、閾値以上の場合に、帯域溢れが発生していないと判定する。制御情報管理部６１は、その判定により、下りパスにおいて帯域溢れが発生していない空帯域量であれば、波長モードからＴＳモードに切り替える切替指示を切替部６０に行う。一方、制御情報管理部６１は、下りパスに帯域溢れが発生している空帯域量であれば、待機し、帯域溢れが発生しなくなる空帯域量となった時に、波長モードからＴＳモードに切り替える切替指示を切替部６０に行う。切替部６０は、その切替指示に応じて、上り下り伝送を波長モードからＴＳモードに切り替える。
【００７１】
また、制御情報管理部６１は、波長モードへの切替後に、１つのノード（例えば１２Ａ）からでも設定完了通知が上がってこない状態を検出すると、切替部６０に波長モードからＴＳモードに切り替える切替指示を行う。設定完了通知が上がってこない状態とは、該当ノード１２ＡのＯＮＵ（例えば３２Ａａ）の故障等によって設定完了通知情報が送信されて来ない状態である。この未送信状態は、ＯＮＵ３２Ａａが交換や増設される場合も該当する。
【００７２】
ＯＮＵ３２Ａａを交換又は増設する場合は、保守者が、制御端末機２８から上記接続設定の制御を行う。制御端末機２８は、ＤＷＢＡ機能部２７Ａに制御ＩＦ６４を介して接続されている。これは、保守者が、制御端末機２８において上記帯域溢れが発生していない状態を確認してＴＳモードに切り替える命令設定の操作を行い、更に、交換又は増設対象のＯＮＵ３２Ａａに対して固有の接続設定を行うための送信許可情報が、該当ＯＮＵ３２Ａａへ送信されるようにする命令設定の操作を行う。この操作入力に応じて、制御情報管理部６１が下り伝送をＴＳモードに切り替える制御を切替部６０に対して行う。更に、制御情報管理部６１は、そのＴＳモードへの切替後に、該当ＯＮＵ３２Ａａに対する固有の送信許可情報を含むゲート信号を当該ＯＮＵ３２Ａａへ送信すると共に、他の全てのＯＮＵ３２Ａａへこれまでと同じ送信許可情報を含むゲート信号を送信する制御を行う。
【００７３】
演算結果通知部６５は、各ノード１２Ａ〜１４ＡのＯＮＵ３２Ａａ，３２Ａｂに送信許可を行う場合に、各ＯＮＵ３２Ａａ，３２Ａｂに対する帯域の割当指示を、制御情報管理部６１に行う。制御情報管理部６１は、割り当てた帯域と、割当先のＯＮＵ３２Ａａ，３２Ａｂとを対応付けて保持する。
【００７４】
この他、ＤＷＢＡ機能部２７Ａは、一般的なＯＬＴ−ＯＮＵ間の通信においては、ＤＢＡ演算部６７の動的帯域割当処理により、効率的な通信を行うために、各ＯＮＵ３２Ａａ，３２Ａｂに動的に帯域を割り当てる。また、ＤＷＡ演算部６８の動的波長割当処理により、波長モードでの下り伝送時に各動的に波長を割り当てる。トラフィック情報保持部６９は、上り下りの伝送時のトラフィック情報を保持する。
【００７５】
また、ＤＷＢＡ機能部２７Ａは、図１に示すように、ＩＦ（図示せず）を介してＳＷ部２５と接続されており、ＳＷ部２５と制御信号を遣り取りして連携を取り、各ノード１２Ａ〜１４ＡのＯＳＵ２６Ａａ，２６Ａｂ間のデータ伝送を制御する。この制御では、ＯＬＴ２１Ａ−各ＯＮＵ３２Ａａ，３２Ａｂ間通信だけではなく、各ＯＮＵ３２Ａａ，３２Ａｂ間通信にも、通信量を一定の水準に抑えるシェーピングの制御や、データ伝送をあるパスに集中させる制御等が可能となる。
【００７６】
図３において、ＯＮＵ３２Ａａ，３２Ａｂは、上り方向のデータをバッファリング（保持）するバッファ部（キュー部７２ａ，７２ｂ）に溜まった情報量（データ量）をＯＬＴ２１Ａ（図１）のＤＷＢＡ機能部２７Ａへ送信可能となっている。
【００７７】
クライアントＰＨＹ部７１は、ポート２ａ，２ｂを介してホスト４２ａ（図１）との間で送受信されるデータの符号化及び復号化等を行うレイヤ１の処理機能部である。
クラシファイア部７２は、ホスト４２ａから受信したデータがＯＬＴ折返対象の信号か否かを識別により判定し、ＯＬＴ折返対象の信号、ＯＬＴ折返対象でない信号毎にキュー部７２ａの所定格納部に格納する。この格納されるデータは、キューモニタ部７５でその格納量等が監視されると共に、キュー読出部７３で読み出され、ＭＵＸ部７９へ入力される。
【００７８】
ＭＵＸ部７９は、その入力される通常のデータと、後述の通知信号作成部７７ａ，７７ｂで作成された通知信号である上りキュー情報、下りキュー情報、遅延情報、並びに、前述したＯＡＭ機能部６０ａ（図２）と同基本機能のＯＡＭ機能部８０ａ（図３）からのＯＡＭ関連情報を多重化する。この多重化されたデータ信号は、切替部８０を介して送信部８２から光多重分離部３１ａ又は３１ｂを介してＯＬＴ２１Ａ（図１）へ送信される上りデータとなる。
【００７９】
一方、ＯＬＴ２１Ａからのゲート信号等を含む下りデータは、光多重分離部３１ａ，３１ｂを介して受信部８３で受信され、切替部８０へ入力される。切替部８０は、入力データからＯＡＭフレームを分離してＯＡＭ機能部８０ａへ出力する。ＯＡＭ機能部８０ａは、そのＯＡＭフレームからＯＬＴ２１Ａとの間の伝送路の遅延を検出し、この検出された遅延情報をＭＵＸ部７９へ出力して、最終的にＤＷＢＡ機能部２７Ａ（図１）へ伝える。
【００８０】
また、切替部８０は、ＯＬＴ２１Ａからの下り信号に含まれる波長モード又はＴＳモードへの切替信号が受信部８３から入力された際に、同様のモードに切り替える。例えば、ＯＬＴ２１Ａが下りパスのみを波長モードに切り替えた際の切替信号が切替部８０に入力された場合、切替部８０は、下りパスのみを波長モードに切り替える。また、切替部８０は、ＯＬＴ２１Ａからの下りパスをＴＳモードに切り替えた際の切替信号が入力された場合、下りパスをＴＳモードに切り替える。
【００８１】
切替部８０は、ＯＬＴ２１Ａからの下り信号としての送信許可情報を含むゲート信号が受信部８３から入力された際に、その送信許可情報を送信許可記憶部８０ｂに記憶し、この記憶した送信許可情報を送信指示情報キュー部８１へ出力する。
【００８２】
送信指示情報キュー部８１は、送信許可情報の接続設定内容である周期・帯域・初期位置に従ってＯＬＴ２１Ａとの接続設定を行い、この設定完了後に、設定完了通知をその設定された周期（所定の周期）毎に、ＴＳモードでＯＬＴ２１Ａへ送信する。例えば、送信許可情報の周期が１ｍｓ、帯域が１Ｇｂｐｓ、初期位置が時刻ｔ１０であるすると、キュー部８１からＯＬＴ２１Ａへの送信は、１Ｇｂｐｓの帯域のデータを、時刻ｔ１０の初期位置から１ｍｓの周期で送信可能となる。
【００８３】
この際、各ノード１２Ａ〜１４ＡのＯＮＵ３２Ａａからの一定周期で送信される設定完了通知のデータは、前述した各々が異なるタイムスロットに配置されるＰＯＮフレーム＃１〜＃３に多重化される。例えば、ノード１２ＡのＯＮＵ３２Ａａからの設定完了通知がＰＯＮフレーム＃１に多重化され、ノード１３ＡのＯＮＵ３２Ａａからの設定完了通知がＰＯＮフレーム＃３に、ノード１４ＡのＯＮＵ３２Ａａからの設定完了通知がＰＯＮフレーム＃３に多重化される。
【００８４】
また、切替部８０は、当該切替部８０に入力される送受信制御信号を送信指示情報キュー部８１へ出力する。送信指示情報キュー部８１は、その送受信制御信号に応じてキュー読出部７３での読み出し、並びに、送信部８２でのデータ送信を指示する。
【００８５】
更に、切替部８０では下りデータが分離され、この分離された下りデータは、キュー部７２ｂに格納された後、キュー読出部７４で読み出されてクライアントＰＨＹ部７１からＳＷ部３３を介して、最終的にホスト（例えば図１の４２ａ）へ出力される。この際、キュー部７２ｂに格納された下りデータは、パケットモニタ部７６で監視される。そのモニタ部７６は、キュー部７２ｂに格納された下りデータのキュー状態を監視し、下りの平均キュー長（バッファ長）、最大キュー長（最大バッファ長）、パケット処理遅延情報、キュー溢れ量等を、モニタ信号作成指示設定部７８の指示に応じて取得し、これを通知信号作成部７７ｂへ入力する。
【００８６】
通知信号作成部７７ｂは、そのパケットモニタ部７６からの入力情報及びモニタ信号作成指示設定部７８の指示情報に応じて通知信号を作成してＭＵＸ部７９へ入力する。通知信号作成部７７ａは、前述したキューモニタ部７５からの入力情報及びモニタ信号作成指示設定部７８からの指示情報に応じて通知信号を作成してＭＵＸ部７９へ入力する。
【００８７】
＜実施形態の動作＞
次に、本実施形態の光集線ネットワークシステム１０Ａの上り下りパスにおける信号伝送の動作を、図４及び図５のシーケンス図を参照して説明する。
但し、図１に示すＯＬＴ２１Ａと各ノード１２Ａ〜１４ＡのＯＮＵ３２Ａａ間のＴＳモードの下り伝送では、矢印Ｙ１で示すように、ＯＬＴ２１から送信された各ゲート信号Ｇ１〜Ｇ３が多重化された各ＰＯＮフレーム＃１〜＃３が、先頭のノード１２Ａの光多重分離部３１ａで矢印Ｙ１１ａで示すように分離されてＯＮＵ３２Ａａ側へ送信される。これと共に、同光多重分離部３１ａを通過した矢印Ｙ１１で示す各ＰＯＮフレーム＃１〜＃３が第１光ファイバ１６を介してノード１３Ａへ伝送される。以降同様に、伝送された各ＰＯＮフレーム＃１〜＃３がノード１３Ａの光多重分離部３１ａ（図示せず）で矢印Ｙ１１ｂで示すように分離されると共に、同光多重分離部３１ａを通過した矢印Ｙ１１で示す各ＰＯＮフレーム＃１〜＃３がノード１４Ａへ送信されて矢印Ｙ１１ｃで示すように分離される。各ノード１２Ａ〜１４Ａで分離された各ＰＯＮフレーム＃１〜＃３は、ノード１２Ａ〜１４Ａ毎にＯＮＵ３２Ａａで自ノード宛てのＰＯＮフレーム＃１〜＃３が取得される。
【００８８】
ＴＳモードの上り伝送では、上記下り伝送とは異なる波長で、各ノード１２Ａ〜１４Ａからの破線矢印Ｙ２ａ，Ｙ２ｂ，Ｙ２ｃで示すＰＯＮフレーム＃１〜＃３が、破線矢印Ｙ２で表すように時分割多重されて、第１光ファイバ１６を介してＯＬＴ２１へ伝送される。
【００８９】
波長モードでの波長パスによる下り伝送は、図１に矢印Ｙ１１で示すように、映像信号等の大容量のデータが、先頭のノード１２Ａの光多重分離部３１ａで矢印Ｙ１１ａで示すように分離されてＯＮＵ３２Ａａ側へ送信されると共に、同光多重分離部３１ａを通過して第１光ファイバ１６を介してノード１３Ａへ伝送される。以降同様に、伝送された大容量のデータがノード１３Ａの光多重分離部３１ａ（図示せず）で矢印Ｙ１１ｂで示すように分離されると共に、通過してノード１４Ａへ送信されて矢印Ｙ１１ｃで示すように分離される。
【００９０】
図４に示すように、まず、ＯＬＴ２１Ａが、各ノード１２Ａ〜１４ＡのＯＮＵ３２Ａａ（各ＯＮＵ３２Ａａともいう）に対して、上りのデータの送信許可を行うための接続設定をＴＳモードで行う。この場合、ＯＬＴ２１Ａは、時刻ｔ１１において、各ＯＮＵ３２Ａａに対して送信許可情報を含むゲート信号Ｇ１１〜Ｇ１３をＰＯＮフレーム＃１〜＃３に多重化して下り送信する。各ＰＯＮフレーム＃１〜＃３は、各ノード１２Ａ〜１４Ａの光多重分離部３１ａで分離されて自ノードのＯＮＵ３２Ａａで受信される。
【００９１】
各ＯＮＵ３２Ａａは、ゲート信号Ｇ１〜Ｇ３の送信許可情報を送信許可記憶部８０ｂ（図３）に保持し、送信指示情報キュー部８１へ出力する。キュー部８１は、その送信許可情報に基づき、例えば周期が１ｍｓ、帯域が１Ｇｂｐｓ、初期位置がノード１２Ａでは時刻ｔ１４ａ、ノード１３Ａでは時刻ｔ１４ｂ、ノード１４Ａでは時刻ｔ１４ｃと接続設定を行う。各ＯＮＵ３２Ａａのキュー部８１は、その接続設定が完了すると、個別の時刻ｔ１２ａ，ｔ１２ｂ，ｔ１２ｃにおいて、設定完了通知をＯＬＴ２１Ａへ送信する。この送信は、ＰＯＮフレーム＃１〜＃３に設定完了通知が多重化されて行われる。
【００９２】
ＯＬＴ２１Ａは、全てのノード１２Ａ〜１４ＡのＯＮＵ３２Ａａから設定完了通知を受信すると、時刻ｔ１３において、下り伝送のみをＴＳモードから波長モードに切り替える。この切り替えは、ＯＬＴ２１Ａに備えられるＯＳＵ２６Ａａ内の制御情報管理部６１（図２）の制御に応じてＰＯＮＰＨＹ・λＰＨＹ切替部６０（図２）で行われる。また、波長モードに切り替えたことを示す切替情報は、各ＯＮＵ３２Ａａへ送信され、各ＯＮＵ３２Ａａが切替情報に応じて下り伝送のみを波長モードに切り替える。これによって、波長モードでの波長パスＰ１で、下り方向に映像信号等の大容量のデータが伝送される。この伝送されたデータは、先頭のノード１２Ａからノード１３Ａ，１４Ａと順番に光多重分離部３１ａで分離されて自ノードのＯＮＵ３２Ａａで受信される。
【００９３】
この波長モードでの下り伝送時に、各ＯＮＵ３２Ａａからは、上記接続設定時の各初期位置である時刻ｔ１４ａ，ｔ１４ｂ，ｔ１４ｃにおいて、ＰＯＮフレーム＃１〜＃３に多重化された設定完了通知が、ＴＳモードでＯＬＴ２１Ａへ送信される。以降、時刻ｔ１５ａ，ｔ１５ｂ，ｔ１５ｃでも示すように、１ｍｓ周期毎に送信される。
【００９４】
このような下り伝送が波長モードで行われ、一定周期の設定完了通知の上り伝送がＴＳモードで行われている際に、ノード１２ＡのＯＮＵ３２Ａａに何らかの故障が生じ、図５に示す時刻ｔ２１ａにおいて、設定完了通知が×印で示すようにＯＬＴ２１Ａへ送信されなかったとする。この場合、ＯＬＴ２１Ａの制御情報管理部６１（図２）では、全てのノード１２Ａ〜１４Ａからの設定完了通知が検出されないので、切替部６０（図２）に対して波長モードからＴＳモードへの切替指示を行う。この指示により、時刻ｔ２２において、切替部６０により下り伝送がＴＳモードに切り替えられる。この切り替えは各ＯＮＵ３２Ａａへも通知されて各ＯＮＵ３２Ａａにて下り伝送がＴＳモードに切り替えられる。また、故障したＯＮＵ３２Ａａは、新規のＯＮＵ３２Ａａと交換又は故障が修理されて復旧したとする。この交換又は復旧は、ＯＬＴ２１Ａでされる。
【００９５】
交換又は復旧後、ＯＬＴ２１Ａは、時刻ｔ２３において、新規ＯＮＵ３２Ａａを含む各ＯＮＵ３２Ａａに対して、送信許可情報を含む各ゲート信号をＰＯＮフレーム＃１〜＃３に多重化して下り送信する。ＰＯＮフレーム＃１〜＃３は、各ノード１２Ａ〜１４Ａの光多重分離部３１ａで分離されて自ノードのＯＮＵ３２Ａａで受信される。この際、新規ＯＮＵ３２Ａａでも受信される。各ＯＮＵ３２Ａａは、ゲート信号の送信許可情報を保持し、上述同様に周期・帯域・初期位置の接続設定を行い、接続設定完了後に、時刻ｔ２４ａ，ｔ２４ｂ，ｔ２４ｃにおいて、各設定完了通知をＯＬＴ２１Ａへ送信する。
【００９６】
ＯＬＴ２１Ａは、全てのノード１２Ａ〜１４Ａの新規ＯＮＵ３２Ａａを含むＯＮＵ３２Ａａから設定完了通知を受信すると、時刻ｔ２５において、下り伝送のみをＴＳモードから波長モードに切り替える。これによって、波長モードでの波長パスＰ１で、下り方向に映像信号等の大容量のデータが伝送される。以降、時刻ｔ２６ａ，ｔ２６ｂ，ｔ２６ｃでも示すように、各設定完了通知が１ｍｓ周期毎に送信される。
【００９７】
＜実施形態の効果＞
以上説明した実施形態の特徴及びその効果を、図１を主に参照して説明する。
本実施形態のシステム１０Ａは、外部装置としてのホスト４１ａ〜４１ｎとの間で送受信される信号を終端し、制御主体となる光回線終端装置としてのＯＬＴ２１Ａと、制御主体に対して客体となる光回線終端装置としてのＯＮＵ３２Ａａ，３２Ａｂを有する複数のノード（光伝送装置）とが、少なくとも１本の光伝送路としての光ファイバ１６でリング状に接続されている。光ファイバ１６を経由して、ＯＬＴ２１Ａから前記各ノード１２Ａ〜１４Ａへデータが下り伝送され、前記各ノード１２Ａ〜１４Ａから前記ＯＬＴ２１Ａへデータが上り伝送されるようになっている。なお、ＯＮＵ３２Ａａ，３２Ａｂは、ＯＮＵ３２Ａａを代表して説明する。
【００９８】
（１）ＯＬＴ２１Ａは、次の制御情報管理部６１及び切替部６０を備え、ＯＮＵ３２Ａａは、次の送信許可記憶部８０ｂ及び送信指示情報キュー部８１を備える構成とした。
即ち、制御情報管理部６１は、ＴＳモードにより、上り伝送でデータを送信する際の初期送信タイミング、送信周期及び送信帯域の接続設定を行う送信許可情報を、各ノード１２Ａ〜１４ＡのＯＮＵ３２Ａａへ送信する。更に、その送信された当該送信許可情報を受信した該当ＯＮＵ３２Ａａが接続設定の完了後に送信した設定完了通知を、全てのノード１２Ａ〜１４Ａから受信した際に、下り伝送の送信モードをＴＳモードから波長モードに切り替える指示を行う。切替部６０は、その指示に応じて、下り伝送の送信モードのみをＴＳモードから波長モードに切り替える。
【００９９】
送信許可記憶部８０ｂは、ＯＬＴ２１Ａから受信した送信許可情報を記憶する。送信指示情報キュー部８１は、その記憶された送信許可情報に応じて接続設定を行い、この設定完了後に設定完了通知を、ＴＳモードで当該接続設定の内容に従ってＯＬＴ２１Ａへ一定周期で送信する。
【０１００】
この構成によれば、各ノード１２Ａ〜１４ＡのＯＮＵ３２Ａａは、記憶した送信許可情報に基づき、所定帯域のデータを、所定時刻の初期送信タイミングから所定周期で上り送信可能であるため、下り伝送が波長モードになっても、ＴＳモードで上り伝送を行うことができる。このため、ＯＬＴ２１Ａで下り伝送のみを波長モードとすることができる。この処理により、Ｐ２ＭＰ方式のシステム１０Ａにおいて、上り下りのパスの接続設定の制御を行うための小容量のデータ伝送がＴＳモードで帯域の無駄が生じないように効率良く行われる。また、下りパスの映像配信等の大容量のデータ伝送が、ＴＳモードよりも大容量伝送が可能な波長モードで効率良く行われるようになる。
【０１０１】
（２）制御情報管理部６１は、各ノード１２Ａ〜１４ＡのＯＮＵ３２Ａａの１つからでも設定完了通知が受信されない場合、下り伝送の送信モードを波長モードからＴＳモードに切り替える指示を切替部６０に行うようにした。
【０１０２】
この構成によれば、ＯＬＴ２１Ａは、ＯＮＵ３２Ａａから設定完了通知が送信されて来ない場合、当該ＯＮＵ３２Ａａの故障を検知できる。この際に、下り伝送の送信モードが波長モードに切り替えられるので、その故障が復旧後に、上り下りのＴＳモードにより、送信許可情報を各ノード１２Ａ〜１４ＡのＯＮＵ３２Ａａへ送信して接続設定を行うことができる。
【０１０３】
（３）制御情報管理部６１は、ＴＳモードへの切替指示を行う際に、下り伝送のデータ伝送量が予め定められた閾値以上となる帯域溢れの発生を検出し、当該帯域溢れの発生を未検出状態であればＴＳモードへの切替指示を行い、帯域溢れの発生を検出状態であれば、この後、帯域溢れの発生を未検出状態となった際に、ＴＳモードへの切替指示を行うようにした。
【０１０４】
この構成によれば、ＴＳモードへの切替指示を行う際に、ＯＬＴ２１Ａから各ノード１２Ａ〜１４ＡのＯＮＵ３２Ａａへの下り伝送において、データ伝送量が帯域溢れを起こしていれば、大容量のデータ伝送中なので、波長モードよりも伝送容量が小さいＴＳモードに切り替えると伝送障害等が生じる。そこで、データ伝送量が帯域溢れを起こさなくなるまで待ってＴＳモードに切り替えれば、伝送障害等が生じることがなく、適正にＴＳモードに切り替えることができる。
【０１０５】
（４）制御情報管理部６１は、設定完了通知が受信できなかったＯＮＵ３２Ａａの復旧又は新規ＯＮＵ３２Ａａへの交換の検知後に、送信許可情報を当該復旧又は当該交換後のＯＮＵ３２Ａａを含む全ノード１２Ａ〜１４ＡのＯＮＵ３２Ａａへ送信し、この送信後に全ノード１２Ａ〜１４ＡのＯＮＵ３２Ａａから設定完了通知を受信した際に、下り伝送の送信モードのみをＴＳモードから波長モードに切り替える指示を行うようにした。
【０１０６】
この構成によれば、復旧又は交換後のＯＮＵ３２Ａａに対して適正に接続設定を行った後に、その復旧又は交換後のＯＮＵ３２Ａａを含む全ノード１２Ａ〜１４ＡのＯＮＵ３２Ａａに、下り伝送の送信モードのみを波長モードに切り替えることができる。
【０１０７】
（５）ＯＮＵ３２Ａａの交換又は増設時に、下り伝送のデータ伝送量が予め定められた閾値以上となる帯域溢れが発生していない状態で、下り伝送の送信モードを波長モードからＴＳモードに切り替える指示の命令設定と、交換又は増設対象のＯＮＵ３２Ａａに接続設定を行うための送信許可情報を該当ＯＮＵ３２Ａａへ送信する命令設定が行われる端末機２８からの各命令が通知されるＤＷＢＡ機能部２７Ａを備える。制御情報管理部６１は、ＤＷＢＡ機能部２７Ａから入力される命令の実行により、ＴＳモードにおいて、送信許可情報を交換又は増設後のＯＮＵ３２Ａａを含む各ノード１２Ａ〜１４ＡのＯＮＵ３２Ａａへ送信し、この送信後に全ノード１２Ａ〜１４ＡのＯＮＵ３２Ａａから設定完了通知を受信した際に、下り伝送の送信モードのみをＴＳモードから波長モードに切り替える指示を切替部に行うようにした。
【０１０８】
この構成によれば、ＯＮＵ３２Ａａの交換又は増設時に、人が端末機により、交換又は増設されたＯＮＵ３２Ａａに対して適正に接続設定を行い、接続設定後に、下り伝送の送信モードのみを波長モードに切り替えることができる。
【０１０９】
その他、具体的な構成について、本発明の主旨を逸脱しない範囲で適宜変更が可能である。上記実施形態では、ＯＬＴ２１Ａと各ノード１２Ａ〜１４Ａとが２本の光ファイバ１６，１７で接続された１＋１プロテクション構成を前提として説明したが、１本の光ファイバ１６又は１７で接続された構成においても、同様に信号伝送を実施することが可能である。
【符号の説明】
【０１１０】
１０Ａ  光集線ネットワークシステム
１１Ａ  代表ノード
１２Ａ〜１４Ａ  ノード
１６，１７  光ファイバ（光伝送路）
２１Ａ  ＯＬＴ
２０ａ〜２０ｎ  ＩＯ部
２３ａ，２３ｂ，３１ａ，３１ｂ  光多重分離部
２５  ＳＷ部
２６Ａａ，２６Ａｂ  ＯＳＵ
２７Ａ  ＤＷＢＡ機能部
２８  制御端末機
３２Ａａ，３２Ａｂ  ＯＮＵ
３３  ＳＷ部
３４Ａａ〜３４Ａｎ  ＩＯ部
４１ａ〜４１ｎ，４２ａ〜４２ｎ，４３ａ〜４３ｎ，４４ａ〜４４ｎ  ホストコンピュータ（外部装置）
５１，７１  クライアントＰＨＹ部
５２，７２  クラシファイア部
５２ａ，５２ｂ，７２ａ，７２ｂ  キュー部
５３，５４，７３，７４  キュー読出部
５５，７５  キューモニタ部
５６，７６  パケットモニタ部
５７ａ，５７ｂ，７７ａ，７７ｂ  通知信号作成部
５８，７８  モニタ信号作成指示設定部
５９，７９  データＭＵＸ部
６０，８０  ＰＯＮＰＨＹ・λＰＨＹ切替部
６０ａ，８０ａ  ＯＡＭ機能部
６１  制御情報管理部
６２，８２  送信部
６３，８３  受信部
６４  制御ＩＦ部
６５  演算結果通知部
６６  ＯＮＵ設定完了通知管理部
６７  ＤＢＡ演算部
６８  ＤＷＡ演算部
６９  トラフィック情報保持部
【図１】
2018078407.tif 000003
【図２】
2018078407.tif 000004
【図３】
2018078407.tif 000005
【図４】
2018078407.tif 000006
【図５】
2018078407.tif 000007
【図６】
2018078407.tif 000008
【図７】
2018078407.tif 000009
【図８】
2018078407.tif 000010